(57)【要約】【課題】本発明は、衝撃吸収ラバーを利用してディスク駆動装置を収容部から取り外すことができ、ディスク駆動装置に付属する部品点数を削減できる電子機器を得ることにある。【解決手段】電子機器1は、収容部11を有する筐体4と、筐体4の収容部11に取り外し可能に収容されるディスク駆動装置21と、ディスク駆動装置21に設けられた弾性変形が可能な衝撃吸収ラバー23と、を備えている。衝撃吸収ラバー23は、ディスク駆動装置21を収容部11に収容した時に、収容部11とディスク駆動装置21との間に介在される。衝撃吸収ラバー23に、ディスク駆動装置21を収容部11から取り出す時に指を掛ける摘み部33が一体に形成されている。【選択図】      図７
2007294043.tif 000002
【特許請求の範囲】
【請求項１】
収容部を有する筐体と、
上記筐体の収容部に取り外し可能に収容されるディスク駆動装置と、
上記ディスク駆動装置に設けられ、上記ディスク駆動装置を上記収容部に収容した時に、上記収容部と上記ディスク駆動装置との間に介在される弾性変形が可能な衝撃吸収ラバーと、を具備し、
上記衝撃吸収ラバーに、上記ディスク駆動装置を上記収容部から取り出す時に指を掛ける摘み部を一体に形成したことを特徴とする電子機器。
【請求項２】
請求項１の記載において、上記収容部は第１のコネクタを有するとともに、上記ディスク駆動装置は上記第１のコネクタに取り外し可能に嵌合する第２のコネクタを有し、上記衝撃吸収ラバーは、上記第１のコネクタと上記第２のコネクタとの嵌合を解除する時の引っ張り力に耐え得る強度を有することを特徴とする電子機器。
【請求項３】
請求項１又は請求項２の記載において、上記衝撃吸収ラバーは、その表面に複数の凸部を有し、これら凸部の先端が上記収容部の内面に弾性的に接することを特徴とする電子機器。
【請求項４】
請求項２の記載において、上記ディスク駆動装置は、上記第２のコネクタが位置する一端と、この一端の反対側に位置する他端とを有し、上記衝撃吸収ラバーの摘み部は、上記ディスク駆動装置の他端よりも上記ディスク駆動装置の一端の方向に偏った位置に設けられることを特徴とする電子機器。
【請求項５】
請求項４の記載において、上記衝撃吸収ラバーは、上記摘み部を有して上記ディスク駆動装置の一端に位置する第１の部分と、上記ディスク駆動装置の他端に位置する第２の部分と、上記第１の部分と上記第２の部分との間を連結する第３の部分と、を備えていることを特徴とする電子機器。
【請求項６】
請求項４の記載において、上記衝撃吸収ラバーは、上記摘み部を有して上記ディスク駆動装置の一端に位置する第１の部分と、上記ディスク駆動装置の他端に位置する第２の部分とを備え、上記第１の部分と上記第２の部分とは、互いに分離されていることを特徴とする電子機器。
【請求項７】
収容部を有する筐体と、
上記収容部の内面に設けられる第１の衝撃吸収ラバーと、
上記筐体の収容部に取り外し可能に収容されるディスク駆動装置と、
上記ディスク駆動装置に設けられ、上記ディスク駆動装置を上記収容部に収容した時に、上記第１の衝撃吸収ラバーに積層されるとともに、上記第１の衝撃吸収ラバーよりも硬質な第２の衝撃吸収ラバーと、を具備し、
上記第２の衝撃吸収ラバーに、上記ディスク駆動装置を上記収容部から取り出す時に指を掛ける摘み部を一体に形成したことを特徴とする電子機器。
【請求項８】
請求項７の記載において、上記収容部は第１のコネクタを有するとともに、上記ディスク駆動装置は上記第１のコネクタに取り外し可能に嵌合する第２のコネクタを有し、上記第２の衝撃吸収ラバーは、上記第１のコネクタと上記第２のコネクタとの嵌合を解除する時の引っ張り力に耐え得る強度を有することを特徴とする電子機器。
【請求項９】
電子機器の収容部に取り外し可能に収容される本体と、
上記本体に設けられ、上記本体を上記収容部に収容した時に、上記収容部と上記本体との間に介在される弾性変形が可能な衝撃吸収ラバーと、を具備し、
上記衝撃吸収ラバーに、上記本体を上記収容部から取り外す時に指を掛ける摘み部を一体に形成したことを特徴とするディスク駆動装置。
【請求項１０】
請求項９の記載において、上記収容部は第１のコネクタを有するとともに、上記本体は上記第１のコネクタに取り外し可能に嵌合する第２のコネクタを有し、上記衝撃吸収ラバーは、上記第１のコネクタと上記第２のコネクタとの嵌合を解除する時の引っ張り力に耐え得る強度を有することを特徴とするディスク駆動装置。
【発明の詳細な説明】
【技術分野】
【０００１】
本発明は、例えばハードディスク駆動装置を搭載したポータブルコンピュータのような電子機器に係り、特にハードディスク駆動装置を衝撃から保護する衝撃吸収ラバーの構造に関する。さらに、本発明は、衝撃吸収ラバーを有するディスク駆動装置に関する。
【背景技術】
【０００２】
ポータブルコンピュータのような電子機器は、多量のデータの読み書きを可能とするハードディスク駆動装置（以下、ＨＤＤと称する）を搭載している。ＨＤＤは、電子機器の筐体の内部に収容されているとともに、必要に応じて筐体から取り外し可能となっている。
【０００３】
ところで、この種のＨＤＤは、特に衝撃や振動に弱いことが知られている。このことから、従来の電子機器では、ＨＤＤに衝撃や振動を吸収するゴムダンパを取り付け、このゴムダンパをＨＤＤと筐体の内面との間に介在させている。
【０００４】
この構成を採用することで、例えば電子機器の運搬時に筐体からＨＤＤに伝わる衝撃や振動をゴムダンパが変形することで吸収し、ＨＤＤの耐衝撃性能を高めている（例えば、特許文献１および特許文献２参照）。
【特許文献１】特許第３６１７９７３号公報
【特許文献２】特開平１１−２４２８８１号公報
【発明の開示】
【発明が解決しようとする課題】
【０００５】
従来の電子機器によると、衝撃吸収用のゴムダンパは、筐体の内面とＨＤＤとの間の隙間を密に埋めている。このため、例えばＨＤＤをスライドさせて筐体から取り外そうとした場合に、ゴムダンパと筐体との接触部分にＨＤＤのスライドを妨げようとする摩擦力が生じ、ＨＤＤを取り外す際の抵抗が大きくなる。
【０００６】
特に最近の電子機器は、筐体が薄くコンパクトに形成されているので、ＨＤＤの周囲に手の指先やドライバのような工具を差し入れるスペースはほとんど残されていない。しかも、ＨＤＤは、筐体に設けられたコネクタに嵌まり込んでいるので、ＨＤＤを筐体から取り外す際には、ＨＤＤとコネクタとの嵌合力に打ち勝つような力でＨＤＤをスライドさせる必要がある。
【０００７】
この結果、ＨＤＤの取り外しを補助する専用の構成要素をＨＤＤに付加しなくてはならず、ＨＤＤに付属する部品点数が増大するといった不具合が生じてくる。
【０００８】
本発明の目的は、衝撃吸収ラバーを利用してディスク駆動装置を収容部から取り外すことができ、ディスク駆動装置に付属する部品点数を削減してコストを抑えることができる電子機器を得ることにある。
【０００９】
本発明の他の目的は、衝撃吸収ラバーを利用して装置本体を収容部から取り外すことができ、装置本体に付属する部品点数を削減してコストを抑えることができるディスク駆動装置を得ることにある。
【課題を解決するための手段】
【００１０】
上記目的を達成するため、本発明の一つの形態に係る電子機器は、  
収容部を有する筐体と、  
上記筐体の収容部に取り外し可能に収容されるディスク駆動装置と、  
上記ディスク駆動装置に設けられ、上記ディスク駆動装置を上記収容部に収容した時に、上記収容部と上記ディスク駆動装置との間に介在される弾性変形が可能な衝撃吸収ラバーと、を備えており、  
上記衝撃吸収ラバーに、上記ディスク駆動装置を上記収容部から取り出す時に指を掛ける摘み部を一体に形成したことを特徴としている。
【００１１】
上記目的を達成するため、本発明の一つの形態に係るディスク駆動装置は、  
電子機器の収容部に取り外し可能に収容される本体と、  
上記本体に設けられ、上記本体を上記収容部に収容した時に、上記収容部と上記本体との間に介在される弾性変形が可能な衝撃吸収ラバーと、を備えており、
上記衝撃吸収ラバーに、上記本体を上記収容部から取り外す時に指を掛ける摘み部を一体に形成したことを特徴としている。
【発明の効果】
【００１２】
本発明によれば、衝撃吸収ラバーにディスク駆動装置を収容部から取り出すイジェクト機能を付加することができる。このため、ディスク駆動装置の取り出しを補助する専用の構成要素が不要となり、ディスク駆動装置に付属する部品点数を削減できるとともに、ディスク駆動装置のコストを抑えることができる。
【発明を実施するための最良の形態】
【００１３】
以下本発明の第１の実施の形態を図１ないし図７に基づいて説明する。
【００１４】
図１は、電子機器の一例であるポータブルコンピュータ１を開示している。ポータブルコンピュータ１は、本体ユニット２とディスプレイユニット３とを含んでいる。
【００１５】
本体ユニット２は、偏平な箱形の筐体４を備えている。筐体４は、底壁４ａ、上壁４ｂ、前壁４ｃ、左右の側壁４ｄおよび図示しない後壁を有する偏平な箱状をなしている。筐体４の上壁４ｂは、キーボード５を支持している。上壁４ｂのうちキーボード５よりも手前に位置する部分は、パームレスト６となっている。パームレスト６は、オペレータがキーボード５を操作する際に手を載せる部分であり、筐体４の幅方向に延びている。
【００１６】
ディスプレイユニット３は、ディスプレイハウジング８と、ディスプレイハウジング８に収容された液晶表示パネル９とを備えている。ディスプレイハウジング８は、筐体４の後端部に一対のヒンジ１０ａ，１０ｂを介して支持されている。ディスプレイユニット３は、閉じ位置と開き位置との間で回動可能となっている。閉じ位置では、ディスプレイユニット３は、キーボード５やパームレスト６を上方から覆うように筐体４の上に横たわる。開き位置では、ディスプレイユニット３は、キーボード５、パームレスト６および液晶表示パネル９を露出させるように筐体４の後端部から起立する。
【００１７】
図２ないし図４に示すように、筐体４は、ディスク収容部１１を備えている。ディスク収容部１１は、パームレスト６の右端部に位置している。ディスク収容部１１は、凹部１２と裏蓋１３とによって規定されている。
【００１８】
凹部１２は、筐体４の底壁４ａに一体に形成されている。凹部１２は、底壁４ａに開口する四角い開口部１２ａと、開口部１２ａと向かい合う支持壁１４と、支持壁１４の周縁と開口部１２ａの開口縁との間を結ぶ複数の周壁１５とを有している。裏蓋１３は、凹部１２の開口部１２ａを覆うように底壁４ａに取り外し可能に支持されている。裏蓋１３は、支持壁１４と向かい合うとともに、支持壁１４および周壁１５と協働して筐体４の内部に図６に示すような収容室１６を形成している。
【００１９】
収容室１６の一端に第１のコネクタ１７が配置されている。第１のコネクタ１７は、プリント配線板１８の端部に実装されている。プリント配線板１８は筐体４に収容されている。
【００２０】
図４および図６に示すように、ディスク収容部１１の収容室１６にＨＤＤ２１が取り外し可能に収容されている。ＨＤＤ２１は、ディスク駆動装置の一例である。ＨＤＤ２１は、本体２２と衝撃吸収ラバー２３とを備えている。
【００２１】
本体２２は、筐体４の凹部１２に収容し得る大きさの偏平な箱状をなしている。本体２２の内部は、清浄な密閉空間となっており、この密閉空間に複数の磁気ディスク、磁気ヘッドを有するキャリッジおよび磁気ディスクを回転させるスピンドルモータのような各種の構成要素が収容されている。
【００２２】
ＨＤＤ２１の本体２２は、一端２４ａと、一端２４ａの反対側に位置する他端２４ｂとを有している。本体２２の一端２４ａに第２のコネクタ２５が配置されている。第２のコネクタ２５は、本体２２を凹部１２の内側で第１のコネクタ１７に向けてスライドさせることにより、第１のコネクタ１７に嵌合する。この嵌合により、ＨＤＤ２１がプリント配線板１８に電気的に接続されるとともに、ＨＤＤ２１が凹部１２の内側に機械的に保持される。
【００２３】
衝撃吸収ラバー２３は、ＨＤＤ２１に外から加わる衝撃や振動を吸収するためのものであり、例えばシリコーンゴムのような柔軟なゴム状弾性体で一体に成形されている。衝撃吸収ラバー２３は、第１の部分２６、第２の部分２７および第３の部分２８を含んでいる。
【００２４】
衝撃吸収ラバー２３の第１の部分２６は、ＨＤＤ２１の本体２２の一端２４ａを外側から覆っている。この第１の部分２６は、第２のコネクタ２５を露出させる切り欠き２９を有している。
【００２５】
衝撃吸収ラバー２３の第２の部分２７は、ＨＤＤ２１の本体２２の他端２４ｂを外側から覆っている。第３の部分２８は、本体２２の幅方向に離間する一対の帯状部２８ａ，２８ｂを有している。帯状部２８ａ，２８ｂは、第１の部分２６と第２の部分２７との間を一体的に連結している。
【００２６】
このため、衝撃吸収ラバー２３は、ＨＤＤ２１の本体２２に対応する大きさを有するとともに、第１の部分２６と第２の部分２７との間に本体２２を挿入するための四角い挿入口３０ａ，３０ｂを有している。
【００２７】
さらに、本実施の形態の衝撃吸収ラバー２３は、第１ないし第３の部分２６〜２８の表面に複数の凸部３１を有している。凸部３１は、本体２２の厚み方向および本体２２の長手方向に延びるとともに、互いに間隔を存して平行に配置されている。凸部３１の先端は、凹部１２の開口部１２ａを裏蓋１３で閉じた時に、支持壁１４の内面、周壁１５の内面および裏蓋１３の内面に弾性的に接するようになっている。
【００２８】
したがって、衝撃吸収ラバー２３は、ＨＤＤ２１の本体２２と収容室１６の内面との間に介在されて、本体２２と収容室１６との間の隙間を埋めている。
【００２９】
図４ないし図７に示すように、衝撃吸収ラバー２３の第１の部分２６に摘み部３３が一体に形成されている。摘み部３３は、第１の部分２６の縁から第２のコネクタ２５とは反対側に向けて張り出しており、丁度手の指先で摘むことができるような大きさの舌片状をなしている。摘み部３３は、本体２２の他端２４ｂよりも一端２４ａの方向に偏った位置に設けられ、第２のコネクタ２５と隣り合っている。
【００３０】
さらに、摘み部３３は、裏蓋１３と本体２２との間に位置している。そのため、裏蓋１３を筐体４から取り外すと、摘み部３３が凹部１２の開口部１２ａから露出する。本実施の形態の摘み部３３は、裏蓋１３を筐体４から取り外した時に、本体２２から遠ざかる方向に湾曲するような弾性が付与されている。
【００３１】
図７に矢印で示すように、摘み部３３を指先で掴んでＨＤＤ２１を第１のコネクタ１７から遠ざかる方向に引っ張ると、本体２２が第１のコネクタ１７と第２のコネクタ２５との嵌合力に抗して第１のコネクタ１７から遠ざかる方向にスライドする。これにより、第１のコネクタ１７と第２のコネクタ２５との嵌合が解除され、ＨＤＤ２１を収容室１６から取り出すことができる。
【００３２】
第１のコネクタ１７と第２のコネクタ２５との嵌合を解除する際には、摘み部３３および摘み部３３が連なる衝撃吸収ラバー２３の第１の部分２６に引っ張り力が作用する。この時、摘み部３３および第１の部分２６が大きく伸びてしまうと、第１のコネクタ１７と第２のコネクタ２５との嵌合部分に伝わるべき引っ張り力が吸収されてしまい、第２のコネクタ２５を第１のコネクタ１７から引き抜くことができなくなる。
【００３３】
このため、摘み部３３を含む衝撃吸収ラバー２３は、第１のコネクタ１７と第２のコネクタ２５との嵌合を解除する時に作用する引っ張り力に耐え得る強度を有していることが必要となる。衝撃吸収ラバー２３の引っ張り強度は、衝撃吸収ラバー２３の衝撃吸収性能（弾性率）と密接な関係を有している。よって、衝撃吸収ラバー２３の引っ張り強度は、例えば衝撃吸収ラバー２３に要求される衝撃吸収性能に応じて衝撃吸収ラバー２３の材質を調整することにより、適宜設定することが望ましい。
【００３４】
このような第１の実施の形態において、例えばポータブルコンピュータ１の運搬時に筐体４に衝撃が加わった場合、筐体４の収容室１６とＨＤＤ２１の本体２２との間に介在された衝撃吸収ラバー２３が衝撃の大きさおよび衝撃が加わる方向に応じて弾性的に変形する。この衝撃吸収ラバー２３の変形により、筐体４からＨＤＤ２１に伝わろうとする衝撃が吸収される。
【００３５】
この結果、ＨＤＤ２１に作用する衝撃が緩和され、ＨＤＤ２１の耐衝撃性能が向上する。
【００３６】
一方、ＨＤＤ２１を収容室１６から取り出すには、まず最初に筐体４を反転させ、図７に示すように筐体４の底壁４ａを上向きとする。この状態で、筐体４の底壁４ａから裏蓋１３を取り外す。これにより、凹部１２の開口部１２ａを通じて衝撃吸収ラバー２３の摘み部３３が露出する。
【００３７】
次に、摘み部３３を手の指先で掴んで、この摘み部３３を第１のコネクタ１７から遠ざかる方向に引っ張り、ＨＤＤ２１の本体２２を収容室１６内でスライドさせる。この結果、第１のコネクタ１７と第２のコネクタ２５との嵌合が解除され、ＨＤＤ２１を収容室１６から取り出すことができる。
【００３８】
本発明の第１の実施の形態によれば、衝撃吸収ラバー２３にＨＤＤ２１を収容室１６から取り出すためのイジェクト機能を付加することができる。このため、ＨＤＤ２１の取り出しを補助する専用の構成要素をＨＤＤ２１の本体２２に付加する必要はなく、ＨＤＤ２１に付属する部品点数を削減することができる。これにより、ＨＤＤ２１の製造コストを抑えて、安価なポータブルコンピュータ１を得ることができる。
【００３９】
さらに、衝撃吸収ラバー２３は、その表面に複数の細長い凸部３１を有し、これら凸部３１の先端面が収容室１６の内面に弾性的に接している。このため、衝撃吸収ラバー２３と収容室１６の内面との接触面積が減少して、これら両者の接触部分に生じる摩擦抵抗を低減できる。したがって、摘み部３３を引っ張って本体２２をスライドさせる時の力を軽減でき、ＨＤＤ２１の取り出し作業を容易に行なうことができる。
【００４０】
加えて、筐体４から衝撃吸収ラバー２３に衝撃が加わった時に、筐体４に接している複数の凸部３１が容易に弾性変形し、衝撃を効率良く吸収する。このため、摘み部３３の伸びを防止するため衝撃吸収ラバー２３の硬度を高くしても、衝撃吸収ラバー２３の本来の衝撃吸収性能を満たすことができる。
【００４１】
なお、本発明は上記第１の実施の形態に特定されるものではなく、発明の主旨を逸脱しない範囲内で種々変更して実施可能である。
【００４２】
例えば、図８は本発明の第２の実施の形態を開示している。
【００４３】
この第２の実施の形態は、衝撃吸収ラバー４１の構成が第１の実施の形態と相違している。第２の実施の形態に係る衝撃吸収ラバー４１は、第１の部分４２と第２の部分４３とを有している。
【００４４】
第１の部分４２は、ＨＤＤ２１の本体２２の一端２４ａを覆っている。第１の部分４２は、第２のコネクタ２５を露出させる切り欠き２９、複数の凸部３１および摘み部３３を一体に有している。第２の部分４３は、ＨＤＤ２１の本体２２の他端２４ｂを覆うとともに、複数の凸部３１を一体に有している。第１の部分４２と第２の部分４３とは、互いに分離されて本体２２の長手方向に離れている。
【００４５】
このような構成においても、衝撃吸収ラバー４１の第１の部分４２にイジェクト機能を付加することができる。そのため、上記第１の実施の形態と同様に、ＨＤＤ２１の取り出しを補助する専用の構成要素をＨＤＤ２１の本体２２に付加する必要はなく、ＨＤＤ２１に付属する部品点数を削減することができる。
【００４６】
さらに、第２の実施の形態によると、摘み部３３を有する第１の部分４２と第２の部分４３とが分離されているので、第１の部分４２と第２の部分４３の硬度を互いに異ならせることができる。
【００４７】
具体的には、第１の部分４２の硬度を第２の部分４３の硬度よりも高く設定し、ＨＤＤ２１を収容室１６から取り出す時に、摘み部３３を引っ張っても摘み部３３や第１の部分４２が伸び難い構成とすることができる。
【００４８】
加えて、第２の部分４３の硬度を第１の部分４２よりも低くすることで、第１の部分４２の引っ張り強度を確保しつつ、衝撃吸収ラバー４１の本体の衝撃吸収性能を満たすことができる。
【００４９】
図９は、本発明の第３の実施の形態を開示している。
【００５０】
第３の実施の形態では、凹部１２の内面および裏蓋１３の内面に複数の第１の衝撃吸収ラバー５１が接着等の手段により固定されている。第１の衝撃吸収ラバー５１は、例えばシリコーンゴムのような柔軟なゴム状弾性体で構成されている。
【００５１】
ＨＤＤ２１の本体２２に第２の衝撃吸収ラバー５２が取り付けられている。第２の衝撃吸収ラバー５２は、例えばシリコーンゴムのような柔軟なゴム状弾性体で構成され、その硬度が第１の衝撃吸収ラバー５１よりも高く設定されている。言い換えると、第２の衝撃吸収ラバー５２は、第１の衝撃吸収ラバー５１よりも弾性変形し難い硬い材質である。
【００５２】
第２の衝撃吸収ラバー５２は、第１の部分５３と第２の部分５４とを有している。第１の部分５３は、ＨＤＤ２１の本体２２の一端２４ａを覆っている。第１の部分５３は、指掛け用の摘み部３３を一体に有している。第２の部分５４は、ＨＤＤ２１の本体２２の他端２４ｂを覆っている。第１の部分５３と第２の部分５４とは、互いに分離されて本体２２の長手方向に離れている。
【００５３】
ＨＤＤ２１を凹部１２に収容して、この凹部１２の開口部１２ａを裏蓋１３で閉じると、第２の衝撃吸収ラバー５２が第１の衝撃吸収ラバー５１とＨＤＤ２１の本体２２との間に介在されるようになっている。そのため、収容室１６の内面とＨＤＤ２１の本体２２との間には、硬度が異なる第１および第２の衝撃吸収ラバー５１，５２が互いに積層した状態で介在されて、収容室１６と本体２２との間の隙間を埋めている。
【００５４】
このような構成によると、筐体４からＨＤＤ２１に伝わろうとする衝撃を硬度が異なる二種類の衝撃吸収ラバー５１，５２で吸収緩和することができる。
【００５５】
特に収容室１６の内面に固定された第１の衝撃吸収ラバー５１は、ＨＤＤ２１に取り付けられた第２の衝撃吸収ラバー５２よりも柔らかいので、筐体４に伝わった衝撃の多くを第２の衝撃吸収ラバー５２に伝わる以前の段階で速やかに吸収できる。
【００５６】
さらに、第１の衝撃吸収ラバー５１の存在により、第２の衝撃吸収ラバー５２の硬度を高く設定することができる。このため、ＨＤＤ２１を収容室１６から取り出す時に、摘み部３３を引っ張っても摘み部３３や第１の部分５３が伸び難い構成とすることができ、ＨＤＤ２１の取り出し作業を容易に行なうことができる。
【００５７】
なお、本発明において、筐体の収容部に収容されるディスク駆動装置は、ＨＤＤに限らず、例えば、光ディスク駆動装置あるいはＣＤ−ＲＯＭ駆動装置であっても同様に実施可能である。
【図面の簡単な説明】
【００５８】
【図１】本発明の第１の実施の形態に係るポータブルコンピュータの斜視図。
【図２】本発明の第１の実施の形態において、ＨＤＤを収容する筐体の収容部を示す斜視図。
【図３】本発明の第１の実施の形態において、裏蓋を取り外して筐体の凹部を露出させた状態を示す筐体の斜視図。
【図４】本発明の第１の実施の形態において、筐体の凹部にＨＤＤを収容した状態を示す筐体の斜視図。
【図５】本発明の第１の実施の形態に係るＨＤＤの斜視図。
【図６】本発明の第１の実施の形態において、収容部にＨＤＤを収容した状態を示す筐体の断面図。
【図７】本発明の第１の実施の形態において、衝撃吸収ラバーの摘み部を指先で掴んでＨＤＤを収容部から取り外す状態を示す断面図。
【図８】本発明の第２の実施の形態に係るＨＤＤの斜視図。
【図９】本発明の第３の実施の形態において、収容部にＨＤＤを収容した状態を示す筐体の断面図。
【符号の説明】
【００５９】
１…電子機器（ポータブルコンピュータ）、４…筐体、１１…収容部（ディスク収容部）、２１…ディスク駆動装置（ＨＤＤ）、２２…本体、２３，４１…衝撃吸収ラバー、３３…摘み部、５１…第１の衝撃吸収ラバー、５２…第２の衝撃吸収ラバー。
【図１】
2007294043.tif 000003
【図２】
2007294043.tif 000004
【図３】
2007294043.tif 000005
【図４】
2007294043.tif 000006
【図５】
2007294043.tif 000007
【図６】
2007294043.tif 000008
【図７】
2007294043.tif 000009
【図８】
2007294043.tif 000010
【図９】
2007294043.tif 000011